(57)【要約】【課題】アルゴンスペクトル強度の時間変動の影響を低減し、赤外線リモートコントロール信号を確実に取り出す。【解決手段】送信器からの赤外線リモートコントロール信号を受信する受光部と、この受光部が受信した信号を、搬送波よりも十分に高い周波数でディジタル信号に変換するＡＤ変換器２１と、このＡＤ変換器から出力されるディジタル信号を赤外線リモートコントロール信号の搬送波帯域を含む通過帯域のバンドパス特性を有するディジタルフィルタ２２を備え、このディジタルフィルタは、アルゴンスペクトル強度の時間変動の影響を低減する。【選択図】      図２
2004356090.tif 000002
【特許請求の範囲】
【請求項１】
放電灯で照明する環境において使用する受信装置であって、
搬送波を使用して送信する赤外線リモートコントロール信号を受信する受光部と、
前記赤外線リモートコントロール信号の搬送波周波数よりも十分に高い周波数で前記受光部が受信した信号をサンプリングしディジタル信号に変換するＡＤ変換部と、
このＡＤ変換部から出力されるディジタル信号を入力し、搬送波周波数成分を通過させる特性を有するディジタルフィルタと、
を具備したことを特徴とする受信装置。
【請求項２】
放電灯で照明する環境において使用する受信装置であって、
搬送波を使用して送信する赤外線リモートコントロール信号を受信する受光部と、
前記赤外線リモートコントロール信号の搬送波周波数よりも十分に高い周波数で前記受光部が受信した信号をサンプリングしディジタル信号に変換するＡＤ変換部と、
このＡＤ変換部から出力されるディジタル信号を入力し、搬送波周波数成分を通過させる特性を有するディジタルフィルタと、
このディジタルフィルタからの信号をヒルベルト変換するヒルベルト変換部と、
このヒルベルト変換部の出力信号と前記ディジタルフィルタからの信号とをそれぞれ二乗し、その二乗した和の平方根を取ることでピーク検波するピーク検波部と、
を具備したことを特徴とする受信装置。
【請求項３】
放電灯で照明する環境において使用する受信装置であって、
搬送波を使用して送信する赤外線リモートコントロール信号を受信する受光部と、
前記赤外線リモートコントロール信号の搬送波周波数ｆcよりも十分に高い周波数ｆsで前記受光部が受信した信号をサンプリングしディジタル信号に変換するＡＤ変換部と、
このＡＤ変換部から出力されるディジタル信号を入力し、赤外線リモートコントロール信号のデータフォーマットを作成する場合の１モジュール時間をＴ1としたとき、ｆc±１／（２・Ｔ1）の範囲の周波数成分を通過させる特性を有するディジタルフィルタと、
を具備したことを特徴とする受信装置。
【請求項４】
ＡＤ変換部は、ディジタルフィルタの上側の遮断周波数をｆstopH｛但し、ｆstopH＞ｆc＋１／（２・Ｔ1）｝としたとき、サンプリング周波数ｆsを、ｆs＞２・ｆstopH、に設定したことを特徴とする請求項３記載の受信装置。
【請求項５】
放電灯で照明する環境において使用する電子機器であって、
請求項１乃至４のいずれか１記載の受信装置と、
この受信装置が受信した赤外線リモートコントロール信号によって動作する電子機器本体と、
を具備したことを特徴とする電子機器。
【請求項６】
請求項５記載の電子機器と、
この電子機器の受信装置に対して赤外線リモートコントロール信号を送信する送信器と、
を具備することを特徴とするリモコンシステム。
【請求項７】
搬送波を使用して送信する赤外線リモートコントロール信号を受信する受光部と、
前記赤外線リモートコントロール信号の搬送波周波数ｆcよりも十分に高い周波数ｆsで前記受光部が受信した信号をサンプリングしディジタル信号に変換するＡＤ変換部と、
このＡＤ変換部から出力されるディジタル信号を入力し、搬送波周波数ｆc成分を通過させる特性を有するディジタルフィルタと、
このディジタルフィルタの出力信号を波形整形する信号処理手段と、
放電灯点灯周波数の最小値を、前記ディジタルフィルタの上側の遮断周波数よりも高く設定し、前記信号処理手段からのデータによって管径が２５．５mm以下の放電灯を点灯制御する点灯制御回路と、
を具備したことを特徴とする放電灯点灯装置。
【請求項８】
搬送波を使用して送信する赤外線リモートコントロール信号を受信する受光部と、
前記赤外線リモートコントロール信号の搬送波周波数ｆcよりも十分に高い周波数ｆsで前記受光部が受信した信号をサンプリングしディジタル信号に変換するＡＤ変換部と、
このＡＤ変換部から出力されるディジタル信号を入力し、搬送波周波数ｆc成分を通過させる特性を有するディジタルフィルタと、
このディジタルフィルタの出力信号を波形整形する信号処理手段と、
放電灯点灯周波数を、前記ディジタルフィルタの下側の遮断周波数よりも低く、かつ、２０ＫＨｚよりも高く設定し、前記信号処理手段からのデータによって管径が２５．５mm以下の放電灯を点灯制御する点灯制御回路と、
を具備したことを特徴とする放電灯点灯装置。
【請求項９】
搬送波を使用して送信する赤外線リモートコントロール信号を受信する受光部と、
前記赤外線リモートコントロール信号の搬送波周波数ｆcよりも十分に高い周波数ｆsで前記受光部が受信した信号をサンプリングしディジタル信号に変換するＡＤ変換部と、
このＡＤ変換部から出力されるディジタル信号を入力し、搬送波周波数ｆc成分を通過させる特性を有するディジタルフィルタと、
このディジタルフィルタの出力信号を波形整形する信号処理手段と、
放電灯点灯周波数の最小値をｆ0Lとしたとき、前記ディジタルフィルタの上側の遮断周波数を、点灯周波数の最小値ｆ0Lよりも小さく設定し、前記信号処理手段からのデータによって管径が２５．５mm以下の放電灯を点灯制御する点灯制御回路と、
を具備したことを特徴とする放電灯点灯装置。
【請求項１０】
ディジタルフィルタは、赤外線リモートコントロール信号のデータフォーマットを作成する場合の１モジュール時間をＴ1としたとき、ｆc±１／（２・Ｔ1）の範囲を通過域に設定したことを特徴とする請求項９記載の放電灯点灯装置。
【請求項１１】
搬送波を使用して送信する赤外線リモートコントロール信号を受信する受光部と、
前記赤外線リモートコントロール信号の搬送波周波数ｆcよりも十分に高い周波数ｆsで前記受光部が受信した信号をサンプリングしディジタル信号に変換するＡＤ変換部と、
このＡＤ変換部から出力されるディジタル信号を入力し、前記赤外線リモートコントロール信号のデータフォーマットを作成する場合の１モジュール時間をＴ1としたとき、ｆc−１／（２・Ｔ1）以上で、ｆc以下の範囲の周波数成分を通過させる特性を有するディジタルフィルタと、
このディジタルフィルタの出力信号を波形整形する信号処理手段と、
この信号処理手段からのデータによって管径が２５．５mm以下の放電灯を点灯制御する点灯制御回路と、
を具備したことを特徴とする放電灯点灯装置。
【請求項１２】
ＡＤ変換部は、ディジタルフィルタの上側の遮断周波数をｆstopH｛但し、ｆstopH＞ｆc｝としたとき、サンプリング周波数ｆsを、ｆs＞２・ｆstopH、に設定したことを特徴とする請求項１１記載の放電灯点灯装置。
【請求項１３】
搬送波を使用して送信する赤外線リモートコントロール信号を受信する受光部と、
前記赤外線リモートコントロール信号の搬送波周波数ｆcよりも十分に高い周波数ｆsで前記受光部が受信した信号をサンプリングしディジタル信号に変換するＡＤ変換部と、
このＡＤ変換部から出力されるディジタル信号を入力し、前記赤外線リモートコントロール信号のデータフォーマットを作成する場合の１モジュール時間をＴ1としたとき、ｆc以上で、ｆc＋１／（２・Ｔ1）以下の範囲の周波数成分を通過させる特性を有するディジタルフィルタと、
このディジタルフィルタの出力信号を波形整形する信号処理手段と、
この信号処理手段からのデータによって管径が２５．５mm以下の放電灯を点灯制御する点灯制御回路と、
を具備したことを特徴とする放電灯点灯装置。
【請求項１４】
ＡＤ変換部は、ディジタルフィルタの上側の遮断周波数をｆstopH｛但し、ｆstopH＞ｆc＋１／（２・Ｔ1）｝としたとき、サンプリング周波数ｆsを、ｆs＞２・ｆstopH、に設定したことを特徴とする請求項１３記載の放電灯点灯装置。
【発明の詳細な説明】
【技術分野】
【０００１】
本発明は、赤外線リモコン信号を受信する受信装置、この受信装置を備えた電子機器、この電子機器を備えたリモコンシステム及び赤外線リモートコントロール信号を受信する受光部を備えた放電灯点灯装置に関する。
【背景技術】
【０００２】
例えば、複数の蛍光ランプをシャーシに配置したソケットに装着し、このシャーシに蛍光ランプ間に位置して収納部を配置し、この収納部内に赤外線リモートコントロール信号の受光部を収納するとともにその受光部の前面にロングパスフィルタあるいはバンドパスフィルタ等の光学フィルタを設け、これによって蛍光ランプの点灯初期において発生するアルゴンスペクトルの大部分を遮断して赤外線リモートコントロール信号のみが受光部に到達するようにしたものが知られている（例えば、特許文献１参照）。
【特許文献１】特公平６−５６３８号公報（第３頁〜第４頁）
【発明の開示】
【発明が解決しようとする課題】
【０００３】
しかしながら、受光部の前面に光学フィルタを設けたものでは、この光学フィルタの面に対して垂直あるいは略垂直に光が入射する場合は所望の特性を示すため、アルゴンスペクトルの大部分を遮断することができるが、斜め方向から光が入射する場合には、例えば、ピーク波長が短波長方向にずれるなど所望の特性が得られなくなる。
【０００４】
また、図２２の(a)に蛍光ランプの始動初期におけるランプ電流Ｓ１の時間変化を示し、図２２の(b)にアルゴンの相対発光強度Ｓ２の時間変化を示す。アルゴンの相対発光強度については、−２℃の雰囲気下で、蛍光ランプであるＦＨＣ３４（東芝ライテック（株）製）を点灯させ、アルゴン基線の一つである８５１ｎｍを通過させる単色光学フィルタを前面に設けた光電子倍増管を用い、ランプ点灯時のアルゴン発光の様子を観測したものである。
【０００５】
図２２の波形から、アルゴンスペクトル強度の時間変動はランプの点灯周期に同期しており、点灯周波数が５０ｋＨｚ程度の場合には、赤外域のアルゴンスペクトルも５０ｋＨｚ程度で強度変動をすることになる。
【０００６】
このため、赤外線リモートコントロール信号の波長よりも僅かに短波長側にあるアルゴンスペクトルが斜め方向から光学フィルタを通過して受光部に入射し、これが受光部を通過すると、アルゴンスペクトル強度の時間変動を誤ってリモートコントロール信号として判断し誤動作を招く問題があった。
【０００７】
本発明は、アルゴンスペクトル強度の時間変動の影響を低減でき、これにより赤外線リモートコントロール信号を確実に取り出すことができる受信装置、電子機器、リモコンシステム及び放電灯点灯装置を提供する。
【課題を解決するための手段】
【０００８】
請求項１記載の発明は、放電灯で照明する環境において使用する受信装置であって、搬送波を使用して送信する赤外線リモートコントロール信号を受信する受光部と、赤外線リモートコントロール信号の搬送波周波数よりも十分に高い周波数で受光部が受信した信号をサンプリングしディジタル信号に変換するＡＤ変換部と、このＡＤ変換部から出力されるディジタル信号を入力し、搬送波周波数成分を通過させる特性を有するディジタルフィルタとを具備する。
【０００９】
このように受光部が受信した信号を、赤外線リモートコントロール信号の搬送波周波数よりも十分に高い周波数でサンプリングしてディジタル信号に変換し、さらに、ディジタルフィルタにより搬送波周波数成分を通過させるので、放電灯で照明する環境において使用する場合に、周囲に放電灯の点灯周期に同期して強度が変動するアルゴンスペクトルが存在していても受信信号におけるアルゴンスペクトル強度の時間変動の影響を低減できる。
【００１０】
また、請求項２記載の発明は、放電灯で照明する環境において使用する受信装置であって、さらに、ディジタルフィルタからの信号をヒルベルト変換するヒルベルト変換部と、このヒルベルト変換部の出力信号とディジタルフィルタからの信号とをそれぞれ二乗し、その二乗した和の平方根を取ることでピーク検波するピーク検波部とを具備する。これにより、ディジタルフィルタからの信号のピーク検波ができ、赤外線リモートコントロール信号をより確実に取り出せる。
【００１１】
また、請求項３記載の発明は、放電灯で照明する環境において使用する受信装置であって、搬送波を使用して送信する赤外線リモートコントロール信号を受信する受光部と、赤外線リモートコントロール信号の搬送波周波数ｆcよりも十分に高い周波数ｆsで受光部が受信した信号をサンプリングしディジタル信号に変換するＡＤ変換部と、このＡＤ変換部から出力されるディジタル信号を入力し、赤外線リモートコントロール信号のデータフォーマットを作成する場合の１モジュール時間をＴ1としたとき、ｆc±１／（２・Ｔ1）の範囲の周波数成分を通過させる特性を有するディジタルフィルタとを具備する。
【００１２】
すなわち、送信データを使用して搬送周波数ｆcを振幅変調した場合、赤外線リモートコントロール信号には搬送周波数ｆc成分の他にｆc±１／（２・Ｔ1）やｆc±１／（４・Ｔ1）等の周波数成分が含まれており、赤外線リモートコントロール信号から送信データの信号成分を取り出すには、搬送周波数ｆcとともにｆc±１／（２・Ｔ1）やｆc±１／（４・Ｔ1）等の周波数成分も必要になる。この周波数成分を取り出すためにはｆc±１／（２・Ｔ1）の範囲を通過させる必要がある。
【００１３】
請求項４記載の発明は、請求項３記載の受信装置において、ＡＤ変換部は、ディジタルフィルタの上側の遮断周波数をｆstopH｛但し、ｆstopH＞ｆc＋１／（２・Ｔ1）｝としたとき、サンプリング周波数ｆsを、ｆs＞２・ｆstopH、に設定したことにある。すなわち、赤外線リモートコントロール信号から送信データの信号成分を取り出すには、ｆc±１／（２・Ｔ1）の範囲を通過させる必要があるが、この通過を確実にするには、さらに、通過帯域の外側に周波数レベルを大きく減衰させる遮断周波数を設定する必要がある。この遮断周波数をどの程度の周波数にするかはレベルを減衰させる条件によって種々決められる。そして、遮断周波数を確実に保証する為にはサンプリング周波数ｆsを上側の遮断周波数ｆstopHの２倍以上に設定する必要がある。
【００１４】
請求項５記載の発明は、放電灯で照明する環境において使用する電子機器であって、請求項１乃至４のいずれか１記載の受信装置と、この受信装置が受信した赤外線リモートコントロール信号によって動作する電子機器本体とを具備する。  
請求項６記載の発明は、請求項５記載の電子機器と、この電子機器の受信装置に対して赤外線リモートコントロール信号を送信する送信器とを具備するリモコンシステムにある。
【００１５】
請求項７記載の発明は、搬送波を使用して送信する赤外線リモートコントロール信号を受信する受光部と、赤外線リモートコントロール信号の搬送波周波数ｆcよりも十分に高い周波数ｆsで受光部が受信した信号をサンプリングしディジタル信号に変換するＡＤ変換部と、このＡＤ変換部から出力されるディジタル信号を入力し、搬送波周波数ｆc成分を通過させる特性を有するディジタルフィルタと、このディジタルフィルタの出力信号を波形整形する信号処理手段と、放電灯点灯周波数の最小値を、ディジタルフィルタの上側の遮断周波数よりも高く設定し、信号処理手段からのデータによって管径が２５．５mm以下の放電灯を点灯制御する点灯制御回路とを具備した放電灯点灯装置にある。
【００１６】
請求項８記載の発明は、搬送波を使用して送信する赤外線リモートコントロール信号を受信する受光部と、赤外線リモートコントロール信号の搬送波周波数ｆcよりも十分に高い周波数ｆsで受光部が受信した信号をサンプリングしディジタル信号に変換するＡＤ変換部と、このＡＤ変換部から出力されるディジタル信号を入力し、搬送波周波数ｆc成分を通過させる特性を有するディジタルフィルタと、このディジタルフィルタの出力信号を波形整形する信号処理手段と、放電灯点灯周波数を、ディジタルフィルタの下側の遮断周波数よりも低く、かつ、２０ＫＨｚよりも高く設定し、信号処理手段からのデータによって管径が２５．５mm以下の放電灯を点灯制御する点灯制御回路とを具備した放電灯点灯装置にある。
【００１７】
請求項９記載の発明は、搬送波を使用して送信する赤外線リモートコントロール信号を受信する受光部と、赤外線リモートコントロール信号の搬送波周波数ｆcよりも十分に高い周波数ｆsで受光部が受信した信号をサンプリングしディジタル信号に変換するＡＤ変換部と、このＡＤ変換部から出力されるディジタル信号を入力し、搬送波周波数ｆc成分を通過させる特性を有するディジタルフィルタと、このディジタルフィルタの出力信号を波形整形する信号処理手段と、放電灯点灯周波数の最小値をｆ0Lとしたとき、ディジタルフィルタの上側の遮断周波数を、点灯周波数の最小値ｆ0Lよりも小さく設定し、信号処理手段からのデータによって管径が２５．５mm以下の放電灯を点灯制御する点灯制御回路とを具備した放電灯点灯装置にある。
【００１８】
請求項１０記載の発明は、請求項９記載の放電灯点灯装置において、ディジタルフィルタは、赤外線リモートコントロール信号のデータフォーマットを作成する場合の１モジュール時間をＴ1としたとき、ｆc±１／（２・Ｔ1）の範囲を通過域に設定したことにある。
【００１９】
請求項１１記載の発明は、搬送波を使用して送信する赤外線リモートコントロール信号を受信する受光部と、赤外線リモートコントロール信号の搬送波周波数ｆcよりも十分に高い周波数ｆsで受光部が受信した信号をサンプリングしディジタル信号に変換するＡＤ変換部と、このＡＤ変換部から出力されるディジタル信号を入力し、赤外線リモートコントロール信号のデータフォーマットを作成する場合の１モジュール時間をＴ1としたとき、ｆc−１／（２・Ｔ1）以上で、ｆc以下の範囲の周波数成分を通過させる特性を有するディジタルフィルタと、このディジタルフィルタの出力信号を波形整形する信号処理手段と、この信号処理手段からのデータによって管径が２５．５mm以下の放電灯を点灯制御する点灯制御回路とを具備した放電灯点灯装置にある。
【００２０】
赤外線リモートコントロール信号から送信データの信号成分を取り出すには、搬送周波数ｆcとともにｆc±１／（２・Ｔ1）やｆc±１／（４・Ｔ1）等の周波数成分も必要になり、この周波数成分を取り出すためにはｆc±１／（２・Ｔ1）の範囲を通過させる必要があるが、搬送周波数ｆcに対して±対称になっているので、片側の周波数成分を取り出せば他方の周波数成分を再現させることができる。従って、下側半分のｆc−１／（２・Ｔ1）以上で、ｆc以下の範囲を通過させればよい。
【００２１】
請求項１２記載の発明は、請求項１１記載の放電灯点灯装置において、ＡＤ変換部は、ディジタルフィルタの上側の遮断周波数をｆstopH｛但し、ｆstopH＞ｆc｝としたとき、サンプリング周波数ｆsを、ｆs＞２・ｆstopH、に設定したことにある。
【００２２】
請求項１３記載の発明は、搬送波を使用して送信する赤外線リモートコントロール信号を受信する受光部と、赤外線リモートコントロール信号の搬送波周波数ｆcよりも十分に高い周波数ｆsで受光部が受信した信号をサンプリングしディジタル信号に変換するＡＤ変換部と、このＡＤ変換部から出力されるディジタル信号を入力し、赤外線リモートコントロール信号のデータフォーマットを作成する場合の１モジュール時間をＴ1としたとき、ｆc以上で、ｆc＋１／（２・Ｔ1）以下の範囲の周波数成分を通過させる特性を有するディジタルフィルタと、このディジタルフィルタの出力信号を波形整形する信号処理手段と、この信号処理手段からのデータによって管径が２５．５mm以下の放電灯を点灯制御する点灯制御回路とを具備した放電灯点灯装置にある。
【００２３】
赤外線リモートコントロール信号から送信データの信号成分を取り出すには、搬送周波数ｆcとともにｆc±１／（２・Ｔ1）やｆc±１／（４・Ｔ1）等の周波数成分も必要になり、この周波数成分を取り出すためにはｆc±１／（２・Ｔ1）の範囲を通過させる必要があるが、搬送周波数ｆcに対して±対称になっているので、片側の周波数成分を取り出せば他方の周波数成分を再現させることができる。従って、上側半分のｆc以上で、ｆc＋１／（２・Ｔ1）以下の範囲を通過させればよい。
【００２４】
請求項１４記載の発明は、請求項１３記載の放電灯点灯装置において、ＡＤ変換部は、ディジタルフィルタの上側の遮断周波数をｆstopH｛但し、ｆstopH＞ｆc＋１／（２・Ｔ1）｝としたとき、サンプリング周波数ｆsを、ｆs＞２・ｆstopH、に設定したことにある。
【発明の効果】
【００２５】
請求項１乃至４記載の発明によれば、アルゴンスペクトル強度の時間変動の影響を低減でき、これにより赤外線リモートコントロール信号を確実に取り出すことができる受信装置を提供できる。  
請求項２記載の発明によれば、ピーク検波することで赤外線リモートコントロール信号をより確実に取り出すことができる受信装置を提供できる。  
請求項５記載の発明によれば、アルゴンスペクトル強度の時間変動の影響を低減でき、これにより赤外線リモートコントロール信号によって確実な動作ができる電子機器を提供できる。
【００２６】
請求項６記載の発明によれば、アルゴンスペクトル強度の時間変動の影響を低減でき、これにより送信器から送信する赤外線リモートコントロール信号によって電子機器を確実に動作させることができるリモコンシステムを提供できる。  
請求項７乃至１４記載の発明によれば、アルゴンスペクトル強度の時間変動の影響を低減でき、これにより赤外線リモートコントロール信号によって放電灯を確実に点灯制御できる放電灯点灯装置を提供できる。  
請求項１１乃至１４の発明によれば、さらに、使用するディジタルフィルタの帯域幅を必要最小限の幅に設定できる放電灯点灯装置を提供できる。
【発明を実施するための最良の形態】
【００２７】
以下、本発明の実施の形態を、図面を参照して説明する。なお、この実施の形態は本発明を照明装置に適用したものについて述べる。  
（第１の実施の形態）
図１はシステム構成を示す図で、天井等の器具取付け面１に取り付けた照明装置２とこの照明装置２に赤外線リモートコントロール信号を送信する送信器３とからなる。
【００２８】
前記照明装置２は、円盤状に形成された器具本体４の下面に略円錐状に形成された反射体５を取付け、この反射体５で覆われた器具本体４の内部には基板６に実装された放電灯点灯装置７が収納されている。前記反射体５には放電灯である環形蛍光ランプ８を保持するランプホルダ９及び環形蛍光ランプ８を放電灯点灯装置７と接続するランプソケット１０が設けられている。
【００２９】
前記反射体５の中央部に形成された基部１１に受光面を下に向けた受光部１２を配置している。この受光部１２は前記送信器３からの赤外線リモートコントロール信号を受信するようになっている。前記赤外線リモートコントロール信号は数十ｋＨｚの搬送波にオンやオフ、調光などを制御する信号成分を乗せて送信するようになっている。
【００３０】
前記受光部１２を有する受信装置は、受光部１２が受信した信号を処理するが、その処理は、図２に示す回路ブロックにより行うようになっている。すなわち、受光部１２から出力されるアナログ信号を入力信号としてＡ／Ｄ変換器２１に入力している。Ａ／Ｄ変換器２１は入力信号をディジタル信号に変換して信号処理部２２に供給している。
【００３１】
信号処理部２２は、信号をディジタル処理するもので、バンドパス特性を有するディジタルフィルタ２３、このディジタルフィルタ２３からの信号をヒルベルト変換するヒルベルト変換器２４、このヒルベルト変換器２４からの信号と前記ディジタルフィルタ２３からの信号とをそれぞれ二乗し、その二乗した和の平方根を取ることでピーク検波するピーク検波部２５及びこのピーク検波器２５からのピーク検波信号を波形整形して後段へ出力する波形整形回路２６によって構成されている。
【００３２】
前記ディジタルフィルタ２３は、赤外線リモートコントロール信号の搬送波帯域を含む通過帯域を持つもので、ディジタル信号処理によってフィルタ機能を実現するようになっている。ディジタル信号処理を行う場合、信号をサンプリングしながらディジタル変換するが、サンプリングの定理から、サンプリング周波数の１／２未満の成分に関してフィルタ効果がある。例えば、赤外線リモートコントロール信号の搬送波周波数を３３ｋＨｚとした場合、この周波数成分を抽出するためには６６ｋＨｚ以上のサンプリング周波数を設定する必要が有る。なお、これは正弦波の場合である。
【００３３】
サンプリングの定理は、信号に含まれる最大周波数の２倍以上のサンプリング周波数とすれば信号を完全に復元できることを保証している。搬送波波形が矩形波の場合は高調波成分を多く含むことになるため、６６ｋＨｚよりもかなり高い周波数でサンプリングする必要が有る。また、受信装置において３３ｋＨｚ成分及び３次高調波成分の有無を検出するのみであれば、基本周波数３３ｋＨｚと３次高調波成分９９ｋＨｚを確実に検出できるように、サンプリング周波数を２００ｋＨｚに設定すればよい。このため、前記Ａ／Ｄ変換器２１は搬送波の周波数よりも十分に高い周波数でディジタル信号に変換するようになっている。
【００３４】
図３は、搬送波周波数ｆc＝３３ｋＨｚ、サンプリング周波数ｆs＝２００ｋＨｚとし、ディジタルフィルタ２３としてバントパスのＦＩＲフィルタ(Finite Impulse Response)を使用し、その通過帯域が搬送波周波数ｆc±１ｋＨｚで、その遮断レベルを−２０ｄＢ以下とした場合の、フィルタ特性を示す図である。この場合のＦＩＲフィルタの次数は１７３である。  
このような特性を有するディジタルフィルタ２３を使用することで、搬送波周波数ｆc±１ｋＨｚの範囲外の周波数成分を十分に減衰させることができる。
【００３５】
図２に示すように、前記ディジタルフィルタ２３を通過した信号Ｉ(t)を、ＦＩＲフィルタで構成したヒルベルト変換器２４に供給するとともにピーク検波器２５に供給している。前記ヒルベルト変換器２４は、実際の信号に対して、位相がπ／２だけ遅れた信号を作るものである。ヒルベルト変換では、元の信号Ｉ(t)に対して、振幅は変化なく、π／２だけ位相が遅れた信号Ｑ(t)が得られる。
【００３６】
前記ヒルベルト変換器２４からの信号Ｑ(t)を前記ピーク検波器２５に供給している。前記ピーク検波器２５は、ディジタルフィルタ２３を通過した信号Ｉ(t)とヒルベルト変換器２４から出力する信号Ｑ(t)を、それぞれ二乗し、その二乗した和の平方根を取るという方法で、元の信号の振幅を得る。すなわち、信号Ｑ(t)は信号Ｉ(t)に対して位相がπ／２だけ遅れているので、信号Ｉ(t)＝ｃｏｓｔ、信号Ｑ(t)＝ｓｉｎｔとすると、ｃｏｓ２ｔ＋ｓｉｎ２ｔ＝１となるので、これの平方根を取ることで信号Ｉ(t)のピーク値を求めることができる。すなわち、元の信号Ｉ(t)のピーク検波を行うことができる。  
前記ピーク検波器２５からのピーク検波信号を波形整形回路２６に供給し、波形整形回路２６で波形整形を行って後段へ出力するようになっている。
【００３７】
図４は受信装置を含む放電灯点灯装置の回路部構成を示す図で、交流電源３１に、ダイオードブリッジ回路からなる全波整流器３２の入力端子を接続し、この全波整流器３２の出力端子に昇圧チョッパ回路３３を接続している。前記昇圧チョッパ回路３３は、全波整流器３２の出力端子にインダクタ３４を直列に介してＭＯＳ型ＦＥＴ（電界効果形トランジスタ）３５を接続し、このＦＥＴ３５にダイオード３６を順極性に介して平滑コンデンサ３７を並列に接続している。
【００３８】
前記平滑コンデンサ３７の両端間にインバータ回路３８を接続している。前記インバータ回路３８は１対のＭＯＳ型ＦＥＴ３９，４０の直列回路を前記平滑コンデンサ３７に並列に接続し、他方のＦＥＴ４０のドレイン、ソース間に直流カット用コンデンサ４１及びインダクタ４２を直列に介して前記環形蛍光ランプ８の両フィラメントの一端を接続している。そして、前記環形蛍光ランプ８の両フィラメントの他端間に共振用コンデンサ４３を接続している。なお、ここでは環形蛍光ランプ８を１灯点灯する点灯装置について述べる。前記インダクタ４２、共振用コンデンサ４３及び蛍光ランプ８は共振回路を構成している。
【００３９】
前記昇圧チョッパ回路３３のＦＥＴ３５及びインバータ回路３８の各ＦＥＴ３９、４０は、主回路駆動回路４４によってスイッチング駆動され、この主回路駆動回路４４はＣＰＵ（中央処理装置）４５によってプログラム制御されるようになっている。
【００４０】
前記蛍光ランプ８に流れるランプ電流や蛍光ランプに発生するランプ電圧を検出し、その検出信号をＡ／Ｄ変換器４６でディジタル信号に変換した後、メモリ４７を介して、あるいは直接前記ＣＰＵ４５に供給している。また、前記信号処理部２２でディジタル処理した信号を、メモリ４７を介して、あるいは直接前記ＣＰＵ４５に供給している。
【００４１】
前記ＣＰＵ４５は、信号処理部２２からの信号を取り込むと、前記Ａ／Ｄ変換器４６からの信号及びメモリ４７に記憶されているデータを参照して、たとえば、蛍光ランプ８に流れる電流が所定値となるように調光点灯制御や全光点灯制御する。
【００４２】
このような構成においては、送信器３を照明装置２の受光部１２に向けて操作することで、オン信号やオフ信号や調光信号を例えば周波数が３３ｋＨｚの搬送波に乗せた赤外線リモートコントロール信号を送信する。照明装置２は赤外線リモートコントロール信号を受光部１２で受信するが、このとき赤外線リモートコントロール信号以外の光、例えばアルゴンスペクトルなどの光も同時に受光する。
【００４３】
受光部１２は受光内容を電気信号に変換して出力し、この電気信号をＡ／Ｄ変換器２１によってディジタル信号に変換し、ディジタルフィルタ２３に供給する。ディジタルフィルタ２３は図３に示す特性を有し、３３ｋＨｚの搬送波を通過させる。従って、受光部１２がアルゴンスペクトルなどの光をたとえ受光してもディジタルフィルタ２２によって大きく減衰される。従って、ディジタルフィルタ２３を介して搬送波信号のみを通過させることができる。
【００４４】
ディジタルフィルタ２３を通過した搬送波信号は信号I(t)としてヒルベルト変換器２４に入力され、位相がπ／２だけ遅れた信号Ｑ(t)が出力される。また、信号I(t)はピーク検波器２５にも入力される。そして、ピーク検波器２５においてピーク検波が行われる。そして、波形整形回路２６で波形整形されて出力信号として取り出される。
【００４５】
例えば、赤外線リモートコントロール信号の送信データフォーマットの１モジュール時間Ｔ1＝０．５msとし、データ「０」をハイレベル期間Ｔ1＋ローレベル期間Ｔ1とし、データ「１」をハイレベル期間Ｔ1＋ローレベル期間３×Ｔ1とし、送信器３からの赤外線リモートコントロール信号に乗せてデータ「００００」、続いてデータ「１１１１」を送信したとすると、この赤外線リモートコントロール信号を受光した受光部１２からＡ／Ｄ変換器２１に入力される信号は図５に示すような波形となる。
【００４６】
すなわち、信号成分ＳやノイズＮが混在した波形となる。この入力信号をＡ／Ｄ変換器２１でディジタル変換した後、ディジタルフィルタ２３、ヒルベルト変換器２４、ピーク検波器２５、波形整形回路２６を順次経由させることで図６に示すように赤外線リモートコントロール信号に乗せた信号成分のみが取り出される。すなわち、ハイレベル期間がＴ1でローレベル期間がＴ1のデータ「０」を４回繰り返したデータ「００００」とハイレベル期間がＴ1でローレベル期間が３×Ｔ1のデータ「１」を４回繰り返したデータ「１１１１」が取り出される。
【００４７】
従って、データ「０」とデータ「１」を適当に組み合わせて放電灯点灯装置７をオンする信号やオフする信号あるいは調光制御する信号を作成すれば、ＣＰＵ４５は赤外線リモートコントロール信号により主回路駆動回路４４を制御して蛍光ランプ８を全光点灯や調光や消灯させることができる。
【００４８】
このように、受光部１２が受光して得られる信号をディジタル信号に変換した後、ディジタルフィルタ２３によって搬送波周波数±１ｋＨｚ以外を大幅に減衰させるようにしているので、赤外線リモートコントロール信号の波長付近にあるアルゴンスペクトルを受光してもそのアルゴンスペクトル強度の時間変動の影響を低減することができ、これにより、赤外線リモートコントロール信号を確実に取り出すことができる。
【００４９】
そして、ディジタルフィルタ２３を通過した信号をヒルベルト変換器２４でヒルベルト変換し、さらに、ピーク検波器２５でピーク検波した後、波形整形回路２６で波形整形して取り出すようにしているので、赤外線リモートコントロール信号に含まれているパルス信号を取り出すことができる。従って、パルス信号の組み合せで「１」、「０」のコード信号を作成している場合に、送信器３から赤外線リモートコントロール信号に乗せて送信されるコード信号を確実に取り出すことができる。
【００５０】
なお、この実施の形態では、ディジタルフィルタ２３として、バンドバスフィルタを使用し、その通過帯域を搬送波周波数ｆc±１ｋＨｚとし、その遮断レベルを−２０ｄＢ以下とした、次数が１７３のＦＩＲフィルタを使用したがこれに限定するものではない。例えば、上側の遮断周波数が４０ｋＨｚ、下側の遮断周波数が１０ｋＨｚで、遮断レベルを−２０ｄＢ以下とした、次数が３５のＦＩＲフィルタを使用することもできる。図７はこのフィルタの特性を示す図である。
【００５１】
このようなフィルタを使用した場合は搬送波を含む通過帯域が広がるが、より少ない次数でフィルタを実現できる。そして、より少ない次数のフィルタを使用することで、ＣＰＵ４５の演算時間が短くなり応答時間が早くなる。また、ＣＰＵ４５の負担を軽くすることができる。
【００５２】
（第２の実施の形態）
なお、前述した実施の形態と同一の部分には同一の符号付し、詳細な説明は省略する。この実施の形態は受信装置を含む放電灯点灯装置の回路部構成について述べる。  
これは、図８に示すように、信号処理部２２をサブＣＰＵ５１に置き換えたものである。すなわち、信号処理部２２のディジタルフィルタ２３、ヒルベルト変換器２４、ピーク検波部２５及び波形整形回路２６は、プログラム処理によって実現することができるので、メモリ４７に必要なデータを記憶しておき、サブＣＰＵ５１がメモリ４７から必要なデータを読み出しつつ、ディジタルフィルタ処理、ヒルベルト変換処理、ピーク検波処理及び波形整形処理を順次行い、最終結果をＣＰＵ４５に供給する。  
このように、信号処理部２２をソフトウエアで構成しても第１の実施の形態と同様の作用効果が得られるものである。
【００５３】
（第３の実施の形態）
なお、前述した実施の形態と同一の部分には同一の符号付し、詳細な説明は省略する。この実施の形態も受信装置を含む放電灯点灯装置の回路部構成について述べる。  
これは、図９に示すように、信号処理部２２の機能をすべてＣＰＵ４５１に組み込み、ＣＰＵ４５１のプログラム処理によって実現したものである。すなわち、ＣＰＵ４５１は本来の主回路駆動回路４４の制御の他に、メモリ４７から必要なデータを読み出しつつ、ディジタルフィルタ処理、ヒルベルト変換処理、ピーク検波処理及び波形整形処理を順次行う。  
このように、ＣＰＵ４５１が信号処理部の機能も果たすので、第１の実施の形態と同様の作用効果が得られるものである。
【００５４】
次に、ディジタルフィルタ処理における搬送波周波数ｆcと通過帯域と上下の遮断周波数ｆstopH，ｆstopLとサンプリング周波数ｆsとの設定に関する実施の形態について述べる。搬送波周波数ｆcと通過帯域と上下の遮断周波数ｆstopH，ｆstopLとの関係の一例を図面で示せば図１０に示すようになる。  
なお、受信装置を含む放電灯点灯装置の回路部構成は前述した各実施の形態のいずれであってもよい。
【００５５】
（第４実施の形態）
赤外線リモートコントロール信号の搬送波周波数がｆcのとき、ディジタルフィルタの通過帯域をｆc±ｆ1に設定し、上側の遮断周波数をｆstopH（＞ｆc＋ｆ1）、下側の遮断周波数をｆstopL（＜ｆc−ｆ1）に設定し、サンプリング周波数ｆsを、ｆs＞２・ｆstopHに設定する。このように設定すれば、サンプリングの定理より、基本波成分に関して信号を完全に復元できる。
【００５６】
また、ディジタルフィルタのゲインの設定については、ｆc−ｆ1におけるゲインに対してｆstopLにおけるゲインを１／１０以下にし、ｆc＋ｆ1におけるゲインに対してｆstopHにおけるゲインを１／１０以下にする。このようなゲインの設定により必要な信号を確実に取り出せるディジタルフィルタを構築できる。
【００５７】
例えば、ｆc＝３３ｋＨｚ、ｆ1＝１ｋＨｚ、ｆstopL＝３０．５ｋＨｚ、ｆstopH＝３５．５ｋＨｚとしたときに、サンプリング周波数ｆsを７２ｋＨｚと設定すれば、ｆsは上側の遮断周波数ｆstopHの２倍を越えることになる。このときのディジタルフィルタのゲイン特性を示すと、例えば、図１１及び図１２に示すように設定できる。なお、図１２は図１１の要部周波数範囲を拡大した波形図である。
【００５８】
また、ゲイン設定については、通過帯域は減衰することなく通過させ、遮断域は通過域よりも十分に減衰させることが必要になる。例えば、遮断域を通過帯域の１／１０程度、すなわち、−２０ｄＢ以下にすればよい。図１２では、ｆstopL、ｆstopHにおいて、約−３０ｄＢの減衰率に設定してある。  
このようなディジタルフィルタを使用することで、受光部がアルゴンスペクトルなどの光をたとえ受光してもアルゴンスペクトルの強度変動に関する信号はディジタルフィルタ処理によって大きく減衰され、通過帯域ｆc±ｆ1の周波数を通過させることができる。また、サンプリング周波数ｆsを７２ｋＨｚとすることで信号処理におけるＣＰＵの負担を軽減できるので、例えば、図９に示した１個のＣＰＵ４５１で赤外線信号処理も行うものには適している。
【００５９】
（第５の実施の形態）
赤外線リモートコントロール信号に載せるデータにおけるフォーマットの１モジュール時間がＴ1で、例えば、データ「０」をハイレベル期間Ｔ1＋ローレベル期間Ｔ1で示し、データ「１」をハイレベル期間Ｔ1＋ローレベル期間３×Ｔ1で示す場合には、赤外線リモートコントロール信号の搬送波周波数がｆcのとき、ディジタルフィルタの通過帯域をｆc±１／（２・Ｔ1）に設定し、上側の遮断周波数をｆstopH（＞ｆc＋１／（２・Ｔ1））、下側の遮断周波数をｆstopL（＜ｆc−１／（２・Ｔ1））に設定し、サンプリング周波数ｆsを、ｆs＞２・ｆstopHに設定する。
【００６０】
すなわち、送信データ信号を使用して搬送周波数ｆcを振幅変調した場合、赤外線リモートコントロール信号には、ｆcの他にｆc±１／（２・Ｔ1）やｆc±１／（４・Ｔ1）等の周波数成分が含まれており、赤外線リモートコントロール信号から信号成分を取り出すには搬送周波数ｆcとともにｆc±１／（２・Ｔ1）やｆc±１／（４・Ｔ1）等の周波数成分も必要になる。この周波数成分を取り出すためにはｆc±１／（２・Ｔ1）の範囲を通過させる必要がある。  
ディジタルフィルタの通過帯域をこのように設定すれば、最大変調波成分１／２Ｔ1で変調された搬送波信号の基本波成分に関して信号を完全に復元できる。
【００６１】
例えば、ｆc＝３３．３ｋＨｚ、Ｔ1＝０．６４msec、ｆstopL＝３０．５ｋＨｚ、ｆstopH＝３５．５ｋＨｚ、遮断域を通過帯域の略−４０ｄＢの減衰率に設定し、サンプリング周波数ｆsを２００ｋＨｚとしたときのディジタルフィルタのゲイン特性を示すと図１３に示すようになる。また、サンプリング周波数ｆsを７２ｋＨｚとしたときのディジタルフィルタのゲイン特性を示すと図１４に示すようになる。
【００６２】
このようなディジタルフィルタを使用することで、受光部がアルゴンスペクトルなどの光をたとえ受光してもアルゴンスペクトルの強度変動に関する信号は、ディジタルフィルタ処理によって大きく減衰され、通過帯域ｆc±１／（２・Ｔ1）の周波数を通過させることができる。また、サンプリング周波数ｆsを７２ｋＨｚにした場合は信号処理におけるＣＰＵの負担を軽減できるので、例えば、図９に示した１個のＣＰＵ４５１で赤外線信号処理も行うものには適している。
【００６３】
（第６の実施の形態）
この実施の形態は、図４、図８あるいは図９の回路構成の放電灯点灯装置において、蛍光ランプ８の点灯周波数の最小値をディジタルフィルタの上側の遮断周波数ｆstopHよりも高く設定したものである。
【００６４】
放電ランプ、特に管径が２５．５mm以下の蛍光ランプでは低温雰囲気下での始動初期においてアルゴンスペクトルが放出されることが知られている。アルゴンスペクトルの強度は図２２に示したようにランプの点灯周期に同期して増減を繰り返し、赤外域のアルゴンスペクトルも同様の強度変動をする。このアルゴンスペクトルが受光部１２に受光された後、ディジタルフィルタを通過してしまうと、リモートコントロール信号が無いにもかかわらず、誤ってリモートコントロール信号と判断することがある。
【００６５】
この点、蛍光ランプ８の点灯周波数の最小値をディジタルフィルタの上側の遮断周波数ｆstopHよりも高く設定しておけば、アルゴンスペクトル強度の時間変動が蛍光ランプ８の点灯周波数に同期しているので、アルゴンスペクトル強度の時間変動もディジタルフィルタの上側の遮断周波数ｆstopHよりも高くなる。従って、アルゴンスペクトル強度の時間変動はディジタルフィルタによって大きな減衰を受けて低減し、このフィルタを通過することは殆ど無い。このような設定によっても搬送波信号付近の成分のみを通過させることができる。
【００６６】
例えば、ｆc＝３３ｋＨｚ、通過帯域ｆc±１ｋＨｚ、下側の遮断周波数ｆstopL＝３０ｋＨｚ、上側の遮断周波数ｆstopH＝３６ｋＨｚ、サンプリング周波数ｆs＝２００ｋＨｚとしたときのディジタルフィルタのゲイン特性を示すと、図１５に示すようになる。従って、この場合は、蛍光ランプの点灯周波数の最小値を３６ｋＨｚよりも高く設定すればよいことになる。なお、ランプからの放射雑音の点を考慮すると、点灯周波数は１５０ｋＨｚ以下にすることが望ましい。
【００６７】
なお、ここでは、蛍光ランプの点灯周波数の最小値を、上側の遮断周波数ｆstopHよりも高くすることで、アルゴンスペクトル強度の減衰を図るようにしたが、逆に、蛍光ランプの点灯周波数を下側の遮断周波数ｆstopLよりも低くすることで、アルゴンスペクトル強度の減衰を図ることもできる。但し、下側については可聴周波数の上限とされる２０ｋＨｚ以下になると音が発生するという問題が生じるので、２０ｋＨｚよりも高く設定する必要が有る。
【００６８】
（第７の実施の形態）
この実施の形態は、図４、図８あるいは図９の回路構成の放電灯点灯装置において、ディジタルフィルタの上側の遮断周波数ｆstopHを蛍光ランプ８の点灯周波数の最小値よりも小さく設定したものである。そして、赤外線リモートコントロール信号に載せるデータにおけるフォーマットの１モジュール時間がＴ1で、赤外線リモートコントロール信号の搬送波周波数がｆcのとき、ディジタルフィルタの通過帯域をｆc±１／（２・Ｔ1）に設定する。
【００６９】
このようにディジタルフィルタの上側の遮断周波数ｆstopHを蛍光ランプ８の点灯周波数の最小値よりも小さく設定しておけば、アルゴンスペクトル強度の時間変動が蛍光ランプ８の点灯周波数に同期しているので、アルゴンスペクトル強度の時間変動もディジタルフィルタの上側の遮断周波数ｆstopHよりも高くなり、ディジタルフィルタによって大きく減衰されこのフィルタを通過することは殆ど無い。このような設定によっても通過帯域ｆc±１／（２・Ｔ1）の周波数を通過させることができる。
【００７０】
例えば、蛍光ランプ８の点灯周波数の最小値が４０ｋＨｚのときに、赤外線リモートコントロール信号の搬送波周波数ｆc＝３３ｋＨｚ、ディジタルフィルタの通過帯域ｆc±２ｋＨｚ、下側の遮断周波数ｆstopL＝２７ｋＨｚ、上側の遮断周波数ｆstopH＝３９ｋＨｚ、サンプリング周波数ｆs＝２００ｋＨｚとしたときのディジタルフィルタのゲイン特性を示すと、図１６に示すようになる。この場合のフィルタ次数は７１である。  
このように、蛍光ランプ８の点灯周波数の最小値が４０ｋＨｚのときに上側の遮断周波数ｆstopHを３９ｋＨｚに設定すれば搬送波信号のみを通過させることができる。
【００７１】
また、蛍光ランプ８の点灯周波数の最小値が４０ｋＨｚのときに、赤外線リモートコントロール信号の搬送波周波数ｆc＝３３ｋＨｚ、ディジタルフィルタの通過帯域ｆc±１ｋＨｚ、下側の遮断周波数ｆstopL＝３１ｋＨｚ、上側の遮断周波数ｆstopH＝３５ｋＨｚ、サンプリング周波数ｆs＝２００ｋＨｚとしたときのディジタルフィルタのゲイン特性を示すと、図１７に示すようになる。この場合のフィルタ次数は２８４である。  
このように、蛍光ランプ８の点灯周波数の最小値が４０ｋＨｚのときに上側の遮断周波数ｆstopHを３５ｋＨｚに設定しても搬送波信号のみを通過させることができる。
【００７２】
なお、図１６の場合はフィルタの次数が小さく、ＣＰＵの演算負担を軽減できる。従って、この場合は図９に示すＣＰＵが１個の場合に適している。また、図１７の場合はフィルタの次数が大きく図１６の場合に比べて単純に４倍の演算時間が必要になる。従って、この場合は、図８に示すサブＣＰＵ５１で赤外線信号処理を行うものに適している。
【００７３】
（第８の実施の形態）
この実施の形態は、図４、図８あるいは図９の回路構成の放電灯点灯装置において、赤外線リモートコントロール信号に載せるデータにおけるフォーマットの１モジュール時間がＴ1で、赤外線リモートコントロール信号の搬送波周波数がｆcのとき、ディジタルフィルタの通過帯域をｆc−１／（２・Ｔ1）以上でｆc以下に設定する。そして、このときには、下側の遮断周波数をｆstopL（＜ｆc−１／（２・Ｔ1））、上側の遮断周波数をｆstopH（＞ｆc）に設定し、サンプリング周波数ｆsを、ｆs＞２・ｆstopHに設定する。
【００７４】
赤外線リモートコントロール信号は搬送波周波数をｆcとし、１モジュール時間がＴ1の信号でＡＭ変調やＡＳＫ変調されることが多く、変調信号の最大周波数は１／（２・Ｔ1）である。この変調信号を通過させ、それ以外の信号を遮断するためには、ディジタルフィルタの通過帯域としては、片側の側帯波を含んでいれば十分である。
【００７５】
Ｔ1＝０．６４msecとした場合、ｆ1＝１／（２・Ｔ1）＝７８１．２５Ｈｚである。搬送波周波数ｆc＝３３ｋＨｚ、サンプリング周波数ｆs＝１００ｋＨｚとして、ディジタルフィルタの通過帯域をｆc−１／（２・Ｔ1）以上でｆc以下に設定したときのフィルタのゲイン特性を示すと、図１８及び図１９に示すようになる。なお、図１９は図１８の要部周波数範囲を拡大した波形図である。
【００７６】
このようにディジタルフィルタの帯域幅を、ｆc−１／（２・Ｔ1）以上でｆc以下という必要最小限の幅に設定しても、アルゴンスペクトル強度の時間変動を低減でき、赤外線リモートコントロール信号成分のみを取り出すことができる。また、通過帯域を蛍光ランプの点灯周波数から大きく外れた位置に設定することが可能になり、アルゴンスペクトル強度の時間変動をより低減できる。
【００７７】
また、赤外線リモートコントロール信号に載せるデータにおけるフォーマットの１モジュール時間がＴ1で、赤外線リモートコントロール信号の搬送波周波数がｆcのとき、ディジタルフィルタの通過帯域をｆc以上でｆc＋１／（２・Ｔ1）以下に設定する。そして、このときには、下側の遮断周波数をｆstopL（＜ｆc）、上側の遮断周波数をｆstopH（＞ｆc＋１／（２・Ｔ1））に設定し、サンプリング周波数ｆsを、ｆs＞２・ｆstopHに設定する。  
前述したように、Ｔ1＝０．６４msecとした場合、ｆ1＝１／（２・Ｔ1）＝７８１．２５Ｈｚである。搬送波周波数ｆc＝３３ｋＨｚ、サンプリング周波数ｆs＝１００ｋＨｚとして、ディジタルフィルタの通過帯域をｆc以上でｆc＋１／（２・Ｔ1）以下に設定したときのフィルタのゲイン特性を示すと、図２０及び図２１に示すようになる。なお、図２１は図２０の要部周波数範囲を拡大した波形図である。
【００７８】
このようにディジタルフィルタの帯域幅を、ｆc以上でｆc＋１／（２・Ｔ1）以下という必要最小限の幅に設定しても、アルゴンスペクトル強度の時間変動を低減でき、赤外線リモートコントロール信号成分のみを取り出すことができる。  
このように、ディジタルフィルタを使用して赤外線リモートコントロール信号成分のみを取り出すことができるので、点灯回路を確実に動作できる。  
なお、この実施の形態は本発明を照明装置に適用したものについて述べたが必ずしもこれに限定するものではなく、照明装置以外の、例えばエアコンディショナなど他の電子機器にも適用できるものである。
【図面の簡単な説明】
【００７９】
【図１】本発明の、第１の実施の形態を示すシステム構成図。
【図２】同実施の形態の照明装置における受信装置の要部構成を示すブロック図。
【図３】同実施の形態において使用するディジタルフィルタの特性を示す図。
【図４】同実施の形態に係る受信装置を含む放電灯点灯装置の回路部構成を示す図。
【図５】同実施の形態の照明装置における受光部の受信信号を示す波形図。
【図６】同実施の形態の照明装置における受信装置の出力信号を示す波形図。
【図７】同実施の形態において使用する他のディジタルフィルタの特性を示す図。
【図８】本発明の、第２の実施の形態に係る受信装置を含む放電灯点灯装置の回路部構成を示す図。
【図９】本発明の、第３の実施の形態に係る受信装置を含む放電灯点灯装置の回路部構成を示す図。
【図１０】搬送波周波数ｆcと通過帯域と上下の遮断周波数ｆstopH，ｆstopLとの関係の一例を示す図。
【図１１】本発明の、第４の実施の形態に係るディジタルフィルタのゲイン特性を示す波形図。
【図１２】図１１の要部拡大波形図。
【図１３】本発明の、第５の実施の形態に係るディジタルフィルタの一例におけるゲイン特性を示す波形図。
【図１４】同実施の形態に係るディジタルフィルタの他例におけるゲイン特性を示す波形図。
【図１５】本発明の、第６の実施の形態に係るディジタルフィルタのゲイン特性を示す波形図。
【図１６】本発明の、第７の実施の形態に係るディジタルフィルタの一例におけるゲイン特性を示す波形図。
【図１７】同実施の形態に係るディジタルフィルタの他例におけるゲイン特性を示す波形図。
【図１８】本発明の、第８の実施の形態に係るディジタルフィルタの一例におけるゲイン特性を示す波形図。
【図１９】図１８の要部拡大波形図。
【図２０】同実施の形態に係るディジタルフィルタの他例におけるゲイン特性を示す波形図。
【図２１】図２０の要部拡大波形図。
【図２２】蛍光ランプの始動初期におけるランプ電流波形とアルゴンスペクトル強度波形との関係を示す図。
【符号の説明】
【００８０】
２…照明装置、３…送信器、１２…受光部、２１…Ａ／Ｄ変換器、２２…ディジタルフィルタ、２３…ヒルベルト変換器、２４…ピーク検波器。
【図１】
2004356090.tif 000003
【図２】
2004356090.tif 000004
【図３】
2004356090.tif 000005
【図４】
2004356090.tif 000006
【図５】
2004356090.tif 000007
【図６】
2004356090.tif 000008
【図７】
2004356090.tif 000009
【図８】
2004356090.tif 000010
【図９】
2004356090.tif 000011
【図１０】
2004356090.tif 000012
【図１１】
2004356090.tif 000013
【図１２】
2004356090.tif 000014
【図１３】
2004356090.tif 000015
【図１４】
2004356090.tif 000016
【図１５】
2004356090.tif 000017
【図１６】
2004356090.tif 000018
【図１７】
2004356090.tif 000019
【図１８】
2004356090.tif 000020
【図１９】
2004356090.tif 000021
【図２０】
2004356090.tif 000022
【図２１】
2004356090.tif 000023
【図２２】
2004356090.tif 000024